(57)【要約】【課題】得られる粉末物の粒度調整を簡便に行うことができるものとする。【解決手段】ばね付勢によって相互に接触するとともに相対回転駆動される一対の臼６，７を備え、両臼の対向接触面間で被粉砕物の粉砕を行う粉挽き機である。上記ばね付勢用のばね２５ａ，２５ｂのばね力調整用で且つ手で直接操作することができる操作部２０ｃを、粉挽き機の外面に配置する。工具を必要とするようなこともなく、手軽に粒度調整を行うことができる。【選択図】図１
2005199243.tif 000002
【特許請求の範囲】
【請求項１】
ばね付勢によって相互に接触するとともに相対回転駆動される一対の臼を備えて、両臼の対向接触面間で被粉砕物の粉砕を行う粉挽き機において、上記ばね付勢用のばねのばね力調整用で且つ手で直接操作することができる操作部を、粉挽き機の外面に配置していることを特徴とする粉挽き機。
【請求項２】
ばね力調整用操作部は、粉挽き機の外殻の一部を構成する調整用ダイアルとして形成されていることを特徴とする請求項１記載の粉挽き機。
【請求項３】
ばね力調整用操作部の操作に連動して一対の臼間に被粉砕物を導く導入口の開口面積を変化させる調整部を備えていることを特徴とする請求項１または２記載の粉挽き機。
【発明の詳細な説明】
【技術分野】
【０００１】
本発明は、茶葉や穀物などの食物類を臼によって細かく粉砕して粉末物とする粉挽き機に関するものである。
【背景技術】
【０００２】
石臼などを用いた粉挽き機は、その重量や大きさの点で一般家庭で用いるには難があることから、対向配置した一対の臼のうちの一方をばねで他方の臼に付勢するとともに、両臼の間の相対回転を電動駆動で得るものが提供されている。この場合、臼として小型軽量のものを用いることができるために、粉挽き機全体も小型軽量のものとすることができる。
【０００３】
このような粉挽き機において、粉砕して得られる粉末物の粒度を調整することができるようにするには、特開平８−２８１１３２号公報などに示されているように、臼を付勢するばねのばね力を変化させることができるようにしている。ばね力を大きくして両臼の接触圧を高くすれば、一対の臼の間で粉砕されて臼の外周から排出される粉末物の粒度が細かくなる。
【０００４】
しかし、従来の粉挽き機における上記粒度調整のためのばね力調整は、粉挽き機の内部に位置する調整用ボルトを工具を用いて操作することで行うようになっているために、調整を簡単に行うことはできない。
【特許文献１】特開平８−２８１１３２号公報
【発明の開示】
【発明が解決しようとする課題】
【０００５】
本発明は上記の従来の問題点に鑑みて発明したものであって、得られる粉末物の粒度調整を簡便に行うことができる粉挽き機を提供することを課題とするものである。
【課題を解決するための手段】
【０００６】
上記課題を解決するために本発明に係る粉挽き機は、ばね付勢によって相互に接触するとともに相対回転駆動される一対の臼を備えて、両臼の対向接触面間で被粉砕物の粉砕を行う粉挽き機において、上記ばね付勢用のばねのばね力調整用で且つ手で直接操作することができる操作部を、粉挽き機の外面に配置していることに特徴を有している。
【０００７】
上記ばね力調整用操作部は、粉挽き機の外殻の一部を構成する調整用ダイアルとして形成されていることが好ましい。
【０００８】
また、ばね力調整用操作部の操作に連動して一対の臼間に被粉砕物を導く導入口の開口面積を変化させる調整部を備えていると、臼間への被粉砕物の単位時間あたりの導入量を調整することによる粒度調整も行うことができる。
【発明の効果】
【０００９】
本発明は、粉挽き機の外面に位置している操作部を手で直接操作することで、臼の付勢用のばねのばね力を変化させることによる粒度調整を行うことができるものであり、工具を必要とするようなこともなく、手軽に粒度調整を行うことができる。
【発明を実施するための最良の形態】
【００１０】
以下、本発明を添付図面に示す実施形態に基いて説明すると、図示例の粉挽き機は、駆動ユニット１とこの駆動ユニット１上に載せられる粉砕ユニット２とから構成されるもので、駆動ユニット１はその円筒状のハウジング１０内に電源部やモータ１１等を収納しているともに、上端面に粉砕ユニット２側への回転伝達のためのカプリング１２を備えている。上記モータ１１からカプリング１２への回転伝達は、モータ１１の出力軸に固着したギア４１と、このギア４１に噛合するギア４２、該ギア４２と一体のギア４３に噛み合うギア４４、そしてギア４４が取り付けられる駆動軸４５によって行われる。尚、カプリング１２は駆動軸４５の軸方向にスライド自在に装着されているともにばね４６によって軸方向に付勢されている。図中４０はギア４１，４２，４３，４４を収めているギアケースである。
【００１１】
また駆動ユニット１にはタイマ４７が収められている。このタイマ４７はモータ１１の連続運転時間を設定するためのもので、時間設定のための摘み４８がハウジング１０の外面に配設されている。図１中の４９は電源部におけるコンデンサ、図２中の５０はリミットスイッチであり、このリミットスイッチ５０は駆動ユニット１上に粉砕ユニット２が載せられた時、ピン５１で押されてオンとなってモータ１１への通電を可能とし、粉砕ユニット２が駆動ユニット１から取り外された時、オフとなってモータ１１への通電をできなくする。
【００１２】
一方、粉砕ユニット２はハウジング２０内に上下一対の臼６，７を収納するとともに下面に上記駆動ユニット１側のカプリング１２と係合して前記モータ１１の回転を受けるカプリング２２を備え、更に集粉カップ８を引き出し自在としているもので、上記ハウジング２０は下部ハウジング２０ａとこの下部ハウジング２０ａ上に位置するハウジング２０ｂと、ハウジング２０ｂ上に所定角度内の軸回りの回転が自在となるように配設されるとともに中央部に漏斗部２８を備えている上部ハウジング２０ｃとで構成されている。なお、上記集粉カップ８は下部ハウジング２０ａに形成された開口部３８内に収めることができるものとなっている。図中２９は漏斗部２８を閉じるための蓋である。
【００１３】
そして上記ハウジング２０ｂによって軸回りの回転が自在となるように支持されて下端に上記カプリング２２が取り付けられている回転体２１の上面に、集粉板２７と下方側のの臼６とが載せられている。なお、集粉板２７及び臼６は回転体２１の上面から突出する突起２１０との係合で回転体２１と共に回転する。
【００１４】
上記臼６の上方には臼７が位置しているわけであるが、この臼７の上方側には押さえプレート２３が配設されている。この押さえプレート２３は、ハウジング２０内に上下スライド自在に収納されるとともに、ハウジング２０内面に形成されている縦溝と係合する回り止め突起２３２を図５に示すように上端外周部から外周方向に突出させているもので、下端外周縁から下方に突出するフック２３１で臼７を下面に保持している。
【００１５】
また、押さえプレート２３から立ち上がる円筒部の内部にはカムプレート２４が配されており、さらにカムプレート２４の下面と押さえプレート２３の上面との間にコイルスプリングからなるばね２５ａ，２５ｂが配設されている。上記カムプレート２４は、図２に示すようにその外周部から突出する突起２４３を押さえプレート２３の上記円筒部に形成されているスリット２３３内に位置させることで回り止めされるとともに上下にスライド自在に保持されているもので、その上面には複数個の傾斜カム２４０を備えている。
【００１６】
一方、前述の上部ハウジング２０ｃの下面には、下方に突出して上記傾斜カム２４０に先端が接する複数個のカム２６０（図１参照）を備えた調整プレート２６が固定されており、上部ハウジング２０ｃを回転させたならば、調整プレート２６のカム２６０は傾斜カム２４０上を摺動する。この時、上部ハウジング２０ｃはハウジング２０ｂのフック３１（図１参照）によって抜け止めされていることから、カム２６０が傾斜カム２４０の背の高い方へ移動する時、カムプレート２４がばね２５ａ，２５ｂに抗して押し下げられるものであり、この結果、押さえプレート２３の下面に取り付けられた上方側の臼７が下方側の臼６に強く押し付けられて両者間の接触圧が高くなる。逆にカム２６０が傾斜カム２４０の背の低い方へ移動する時は、臼７と臼６との接触圧が低くなる。
【００１７】
この粉挽き機を使用するにあたっては、駆動ユニット１の上に粉砕ユニット２を載せる。この時、駆動ユニット１のハウジング１０上面に設けられた円弧状の突部１３の外周に粉砕ユニット２の下部ハウジング２０ａが位置するとともに、上記突部１３に形成された溝１３０内に前記リミットスイッチ５０の駆動用の突部２００が入り込むことで、駆動ユニット１に対する粉砕ユニット２の位置決め及び回り止めがなされる。また、この時、上記リミットスイッチ５０がオンとなって、モータ１１への通電が可能となる。
【００１８】
粉にしたい被粉砕物９は、粉砕ユニット９の上面の蓋２９を外して漏斗部２８内に投入する。漏斗部２８の下端は上方側の臼７の中央にあけられた開口に達しているとともに漏斗部２８の下端外周に押さえプレート２３の円筒状リブが微小クリアランスを介して位置しているために、被粉砕物９が臼７上に散らばることはない。
【００１９】
被粉砕物９を投入したならば、摘み２８を回すことでタイマー２７を作動させる。この結果、タイマー２７で設定された時間だけモータ１１への通電が行われ、モータ１１の回転が減速用のギア群２１〜２４やカプリング１２，２２及び回転体２１を介して下方側の臼６に伝達され、臼６は５０〜６０ｒｐｍで回転する。
【００２０】
この時、下方側の回転駆動される臼６の上面中央に取り付けられて上方に立ち上がる撹拌板３５が同時に回転して、漏斗部２８に投入されている被粉砕物９を臼７の中央開口部内周面の下面側に形成された導入口７０（図１参照）へと送り出す。
【００２１】
一方、上方側の臼７は、ハウジング２０ｂに押さえプレート２３が回り止めされているとともに押さえプレート２３の下面に形成した突起２３０（図１参照）が臼７に係合していることから回転することがないものであり、このために、臼６と臼７との間には相対回転が生じ、漏斗部２８に投入されて導入口７０から臼６と臼７との間に入り込んだ被粉砕物９は、臼６と臼７との対向面に形成された溝によって剪断されるとともに外周側へと漸次送り出され、最終的には粉末物９’として臼６，７の外周から排出されて、ハウジング２０ｂの内底面外周部上に溜まる。
【００２２】
そして回転体２１に取り付けられて臼６と共に回転している集粉板２７がこぼれ出た粉末物９’を掻き集めて、ハウジング２０ｂに形成されている窓３９からハウジング２０ｂの下方に位置する集粉カップ８内に落下させる。なお、集粉板２７はその外周部にハウジング２０ｂの内底面及び内周面に摺接する部分を備えたものであり、このために臼６，７で粉砕して得られた粉末物９’はすべて窓３９を通じて集粉カップ８内に集められる。そしてタイマー２７で設定されている時間が経過すれば、モータ１１がオフとなって臼６の駆動が停止される。
【００２３】
ここにおいて、粉砕ユニット２における集粉カップ８とこれが装着される開口部３８を備えた下部ハウジング２０ａとが透明部材で形成されており、また下部ハウジング２０ａがハウジング２０ｂにおける臼６，７の外周部も露出させる窓３９の外周に位置していることから、この粉挽き機においては、集粉カップ８内の粉末物９’はもちろんのこと、臼６，７の外周から粉末物９’が排出されるところや、窓３９を通じて粉末物９’が集粉カップ８内に落ちるところも外部から見ることができるものとなっている。
【００２４】
また、この粉挽き機においては、粉砕ユニット２の上部に露出している上部ハウジング２０ｃを回転させたならば、前述のようにばね２５ａ，２５ｂの圧縮量が変化することで臼６と臼７との間の接触圧が変化するものであり、この接触圧を高くすることで、粒度の細かい粉末物９’を得ることができ、接触圧を低くすることで粒度の粗い粉末物９’を得ることができる。特に粒度の調整のために回転させる調整用ダイアルとしての上部ハウジング２０ｃは、粉砕ユニット２の上端外周部に位置していて握りやすく、また径が大きいことから回転させるのに必要な力が少なくてすむようになっているとともに、カムの利用によって９０°ほど回転させればばね力を大きく変化させることができるものとなっており、外周面に滑り止めのためのリブ３２を備えた上部ハウジング２０ｃに手を載せて回せることができるようにしていることもあって粒度調整操作が非常に容易なものである。
【００２５】
しかも上記の粒度調整操作は、漏斗部２８を備えた上部ハウジング２０ｃを回転させることで行うことから、漏斗部２８内に被粉砕物９が入っている状態はもちろん、粉挽きを行っている最中でも支障なく行うことができる。
【００２６】
図６及び図７に他例を示す。これは上部ハウジング２０ｃの漏斗部２８を形成している中央円筒部３６の下端を下方側の臼６の上面近くまで延長するとともに、この下端に調整用の複数個の切り欠き３７を設けたもので、上記粒度調整に際し、粒度を粗くする時には図７(a)に示すように、上方側の臼７に設けた複数の導入口７０の全てに上記切り欠き３７が重なって被粉砕物９が全導入口７０を通じて臼６と臼７との間に入り込むが、粒度を細かくする時には、図７(b)に示すように、特定の導入口７０のみに切り欠き３７が一致し、他の導入口７０は上記中央円筒部３６で閉じられてしまって、臼６と臼７との間に入り込む被粉砕物９の量が制限されてしまうようにしたものである。
【００２７】
粒度の調整は、臼６と臼７との間の接触圧の大小だけでなく、臼６と臼７との間に入り込む被粉砕物９の量によっても変化し、この量が多ければ粒度が粗くなり、量が少なくなれば粒度が細かくなるが、上部ハウジング２０ｃを回転させる操作を加えることで臼６と臼７との間の接触圧を高くして粒度を細かくする時、上記の量も少なくなり、接触圧を低くして粒度を粗くする時、上記の量も多くなるようにしている。ばね力の調整操作だけでは調整することができる粒度の範囲に制限があるが、被粉砕物の導入量も同時に調整することにより、粒度調整の範囲を広くとることができるようにしているものである。
【００２８】
ところで、上部ハウジング２０ｃを回転させることで粒度調整を行うようにしているが、円形となっている上部ハウジング２０ｃ外周部を掴んで回転させることが困難な使用者も存在することから、図８に示すように、蓋２９に取っ手２９０を設けるとともに蓋２９と上部ハウジング２０ｃとが一体に回転するようにして、蓋２９の取っ手２９０を掴んで上部ハウジング２０ｃを回転させることができるようにしてもよく、図９(a)に示すように、上部ハウジング２０ｃの外面にレバー部２６１を配して、上部ハウジング２０ｃの回転操作をレバー部２６１に指をかけて行うことができるようにしてもよい。このレバー部２６１は、図９(b)に示すように、調整プレート２６に設けて上部ハウジング２０ｃの外面に露出させるほか、上部ハウジング２０ｃに直接設けてもよい。
【００２９】
なお、調整プレート２６に設けたレバー部２６１を操作する場合、上部ハウジング２０ｃが回転自在となっている必要はなく、ハウジング２０ｂと一体で回転することがない上部ハウジング１０ｃに対して調整プレート２６を回転自在としておいてもよいものである。
【図面の簡単な説明】
【００３０】
【図１】本発明の実施の形態の一例の縦断面図である。
【図２】同上の横断面図である。
【図３】同上の斜視図である。
【図４】同上の駆動ユニットと粉砕ユニットとを分離した状態の斜視図である。
【図５】同上の押さえプレートとカムプレートの斜視図である。
【図６】他例における上部ハウジングの斜視図である。
【図７】(a)(b)は同上の動作説明図である。
【図８】別の例の蓋の斜視図である。
【図９】(a)は更に別の例の粉砕ユニットの斜視図、(b)は調整プレートの斜視図である。
【符号の説明】
【００３１】
１  駆動ユニット
２  粉砕ユニット
６  臼
７  臼
１１  モータ
２０ｃ  上部ハウジング（調整用ダイアル）
２５ａ  ばね
２５ｂ  ばね
【図１】
2005199243.tif 000003
【図２】
2005199243.tif 000004
【図３】
2005199243.tif 000005
【図４】
2005199243.tif 000006
【図５】
2005199243.tif 000007
【図６】
2005199243.tif 000008
【図７】
2005199243.tif 000009
【図８】
2005199243.tif 000010
【図９】
2005199243.tif 000011